(57)【要約】【課題】両脚杆の左右方向の寸法を抑えて使用者の膝にあたる空間を広く確保するとともに、両脚杆の溶着を容易にできる折り畳みテーブルを提供すること。【解決手段】少なくとも左右にそれぞれ一対の脚杆４，５を備えた脚体３，３に天板を枢着して、該天板を水平な使用位置と、略垂直な折り畳み位置との間で回動可能とし、前記一対の脚杆４，５は、上下方向略中間位置から上方４ａ，５ａは左右方向に重合すると共に、下方４ｂ，５ｂに向けて前後方向に拡開する形状とした折り畳みテーブル１において、前記両脚杆４，５は断面視略円形をなし、前記重合した部分４ｅ，５ｅの何れか一方の脚杆４を、他方の脚杆５に対して対向部４ｅ，５ｅが嵌合するように左右方向に圧縮変形させて他方の脚杆５に溶着した。【選択図】図３
2007306988.tif 000002
【特許請求の範囲】
【請求項１】
少なくとも左右にそれぞれ一対の脚杆を備えた脚体に天板を枢着して、該天板を水平な使用位置と、略垂直な折り畳み位置との間で回動可能とし、前記一対の脚杆は、上下方向略中間位置から上方は左右方向に重合すると共に、下方に向けて前後方向に拡開する形状とした折り畳みテーブルにおいて、
前記両脚杆は断面視略円形をなし、前記重合した部分の何れか一方の脚杆を、他方の脚杆に対して対向部が嵌合するように左右方向に圧縮変形させて他方の脚杆に溶着したことを特徴とする折り畳みテーブル。
【請求項２】
前記後方に拡開する脚杆を上端部から下端部に至るまで一定の角度で後方に傾斜し、前記前方に拡開する脚杆は、重合した部分において後方に拡開する脚杆と略同一角度で後方へ傾斜しており、かつ後方に拡開する脚杆よりも左右方向外方に配設されている請求項１に記載の折り畳みテーブル。
【請求項３】
前記前方に拡開する脚杆の重合した部分を左右方向に圧縮変形させた請求項２に記載の折り畳みテーブル。
【請求項４】
前記前方に拡開する脚杆の下方は左右方向外側に傾斜している請求項２または３に記載の折り畳みテーブル。
【発明の詳細な説明】
【技術分野】
【０００１】
本発明は、少なくとも左右にそれぞれ一対の脚杆を備えた脚体に天板を枢着して、該天板を水平な使用位置と、略垂直な折り畳み位置との間で回動可能とし、前記一対の脚杆は、上下方向略中間位置から上方は左右方向に重合すると共に、下方に向けて前後方向に拡開する形状とした折り畳みテーブルに関する。
【背景技術】
【０００２】
左右にそれぞれ一対の脚杆を備えた脚体に天板を枢着してこの天板を水平な使用位置と、略垂直な折り畳み位置との間で回動可能とした折り畳みテーブルは公知である。このような折り畳みテーブルに用いられている一対の脚杆は、略断面視円形状をなすパイプ体で構成され、上部においてパイプ状の形状を保ったまま固着されている（例えば、特許文献１参照）。
【０００３】
【特許文献１】特開２００４−２０２０５６号公報（図３，４参照）
【発明の開示】
【発明が解決しようとする課題】
【０００４】
しかしながら、特許文献１に記載の折り畳みテーブルの脚杆にあっては、パイプ状の形状を保ったまま固着されているので、両脚杆の左右方向の寸法はパイプ径を合わせた長さとなり、天板下の膝が入り込む空間を広く確保できなかった。また、両脚杆を溶接等で固着する場合に、固着する部分がパイプ同士の線接触部となる最深部であるため溶着しにくく改善の余地があった。
【０００５】
本発明は、このような問題点に着目してなされたもので、両脚杆の左右方向の寸法を抑えて使用者の膝が入り込む空間を広く確保するとともに、両脚杆の溶着を容易にできる折り畳みテーブルを提供することを目的とする。
【課題を解決するための手段】
【０００６】
上記課題を解決するために、本発明の請求項１に記載の折り畳みテーブルは、少なくとも左右にそれぞれ一対の脚杆を備えた脚体に天板を枢着して、該天板を水平な使用位置と、略垂直な折り畳み位置との間で回動可能とし、前記一対の脚杆は、上下方向略中間位置から上方は左右方向に重合すると共に、下方に向けて前後方向に拡開する形状とした折り畳みテーブルにおいて、前記両脚杆は断面視略円形をなし、前記重合した部分の何れか一方の脚杆を、他方の脚杆に対して対向部が嵌合するように左右方向に圧縮変形させて他方の脚杆に溶着したことを特徴としている。
この特徴によれば、一方の脚杆の前記重合した部分を、他方の脚杆に対して対向部が嵌合するように左右方向に圧縮変形させて他方の脚杆に溶着したので、溶着箇所が前後方向に分散して溶着がし易い。また左右方向に圧縮変形させることで両脚杆の左右方向の寸法が抑えられ、使用者の膝が入り込む空間を広く確保できる。また、重合した部分は一方がつぶれるが２本の脚杆で支持されることになり、下方の前後方向に拡開した部分は前後に１本ずつとなるが、両部分は変形していないので、一対の脚杆の上下両部において、ほぼ均一な強度バランスを取ることができる。
【０００７】
本発明の請求項２に記載の折り畳みテーブルは、請求項１に記載の折り畳みテーブルであって、前記後方に拡開する脚杆を上端部から下端部に至るまで一定の角度で後方に傾斜し、前記前方に拡開する脚杆は、重合した部分において後方に拡開する脚杆と略同一角度で後方へ傾斜しており、かつ後方に拡開する脚杆よりも左右方向外方に配設されていることを特徴としている。
この特徴によれば、両脚杆の上方部は後方に傾斜し、前方に拡開する脚杆は左右方向外方に配設されているので、着座時に使用者の膝の周辺及びその上部空間にゆとりが生じ、快適な座り心地を与えることができ、着座により広い空間を確保できる。
【０００８】
本発明の請求項３に記載の折り畳みテーブルは、請求項２に記載の折り畳みテーブルであって、前記前方に拡開する脚杆の重合した部分を左右方向に圧縮変形させたことを特徴としている。
この特徴によれば、後方に拡開する脚杆はストレート杆を用いることができるので、製造コストを抑えることができる。
【０００９】
本発明の請求項４に記載の折り畳みテーブルは、請求項２または３に記載の折り畳みテーブルであって、前記前方に拡開する脚杆の下方は左右方向外側に傾斜していることを特徴としている。
この特徴によれば、前方に拡開する脚杆の下方が左右方向外側に傾斜しているので、ネスティングの際に、他方のテーブルの後方に拡開する脚杆を円滑に受け入れできる。
【発明を実施するための最良の形態】
【００１０】
本発明の実施例を以下に説明する。
【実施例】
【００１１】
図１（ａ）は、本発明の実施例における折り畳みテーブルの全体像を示す天板使用位置の斜視図であり、図１（ｂ）は、折り畳みテーブルの天板の折り畳み位置を示す斜視図であり、図２（ａ）は、脚体を構成する２つの脚杆の分解組立斜視図であり、図２（ｂ）は、脚体の組み付け斜視図であり、図２（ｃ）は、図２（ｂ）のＡ−Ａ線に沿う断面図であり、図３は、脚体、連結杆、閉塞板および幕板を示す分解組立斜視図および、その閉塞板と脚体の連結を示す要部拡大斜視図であり、図４（ａ）は、ブラケットと連結杆との取付後の状態を示す斜視図であり、図４（ｂ）は、天板取り付け後のブラケットと閉塞板の取付関係を示す斜視図であり、図５は、天板の使用可能な水平位置から略垂直な折り畳み位置へと回動されたテーブルを示す側面図であり、図６は、折り畳みテーブルを前後方向に重ねて収納する過程を示す概略側面図である。
【００１２】
この折り畳みテーブル（以下、テーブル）は、学校の教室や会社等で使用される天板２の折り畳み可能なテーブル１であり、未使用時には後述する複数のテーブル１，・・・を前後方向に重ねて収納可能となっており、室内のスペースを有効に活用可能となっている（図７参照）。以下、本実施例の説明において、図１に図示されたテーブル１を対面した状態で見て、テーブル１の手前側を前方とし、奥行き側を後方とし、左手側を左方、右手側を右方として説明する。
【００１３】
図１（ａ）および図１（ｂ）に示されるように、左右方向に長い上面視矩形の天板２からの荷重を支持する左右一対の脚体３、３は、それぞれアルミやスチール等の金属パイプからなる断面視略円形の脚杆４，５から成り、それら脚杆４，５の上下方向略中間位置から上方の上端部４ａ，５ａ同士が互いに左右方向に溶接等で連結して重合されている。尚、上端部４ａ，５ａ同士の連結については後で詳述する。そして、脚杆４，５の下端部４ｂ，５ｂが前方に拡開する外側の脚杆（以下、一方の脚杆４，４）と、後方に拡開する内側の脚杆（以下、他方の脚杆５，５）とで、左右方向に並んで並設されている。
【００１４】
それぞれの下端部４ｂ，５ｂには、床面３０に対して前後左右方向に自由回動可能かつ移動ロック付きのキャスタ５０を備えている。脚杆４，５の上端部４ａ，５ａはそれぞれ左右に配置したスチール等の金属板で折り曲げ形成された閉塞板７，７に熱溶着され、この閉塞板７，７は両者を連結する左右の長さ方向に延びる横杆状のアルミやスチール等の金属パイプからなる連結杆６の左右側端部６ａ，６ａの前面に熱溶着されている。
【００１５】
アルミ等の金属で成型されたブラケット１０，１０が、連結杆６の左右側端部６ａ，６ａに対して、その軸心回りに回動可能に嵌合され、これらブラケット１０，１０は天板２の下面２ａに取り付けられている。左右の脚体３，３の上端部４ａ，５ａには、互いの対面する内方に向けて幕板取付片５ｃ，５ｃが延設されており、スチール金属板やプラスチック板等からなる矩形の幕板４０が取り付けられている。また、各ブラケット１０，１０の側壁１１，１１には、荷物掛け部２３，２３が外方に向けて突設されており、鞄や傘等を吊持可能なテーブル１となっている。
【００１６】
そして、後述する左方のブラケット１０に設けられたレバー部材２５の操作によって、このブラケット１０の閉塞板７との係合が解除され、天板２の前端側が上方且つ後方に向けて押し上げられることで、天板２の使用可能な水平位置から［図１（ａ）参照］、略垂直な折り畳み位置へと回動され［図１（ｂ）参照］、テーブル１を前後方向に複数重ねて収納可能な状態となる。
【００１７】
尚、テーブル１の構造は、左方に設けられたレバー部材２５および、その付帯する天板２のロック構造を除き左右対称構造のため、以下の実施例においては、主にテーブル１の左方側を中心に説明する。
【００１８】
次に、一方の脚杆４と他方の脚杆５とで構成される脚杆３の形状について、図２に基づいて具体的に説明する。まず、図２（ａ）に示されるように、他方の脚杆５は上端部５ａから下端部５ｂに至るまで一定の角度で後方に傾斜され、一方の脚杆４は他方の脚杆５と重合する部分において略同一角度で後方へ傾斜され、脚杆５と重合する部分から離れて前方に傾斜している。そして他方の脚杆５の上端部５ａと向かい合い互いに重合する対向部５ｅと対向する一方の脚杆４の対向部４ｅは、左右方向に圧縮変形することにより形成されている。
【００１９】
さらに、一方の脚杆４の脚杆５と重合する部分から離れ箇所は折曲部４ｃが形成されており、この折曲部４ｃから下端部４ｂにかけて一方の脚杆４が外方に傾斜された形状となっている。そして、図２（ｂ）に示されるように、一方の脚杆４の対向部４ｅと他方の脚杆５の対向部５ｅとが当接され、図２（ｃ）に示されるように、両対向部４ｅ，５ｅの前後２箇所の当接部３ａを溶着箇所として、２本の脚杆４，５同士が溶接等により強固に連結され一本の脚体３を構成している。
【００２０】
このように、一方の脚杆４を左右方向に圧縮変形させるだけで、対向部４ｅを形成して他方の脚杆５の対向部５ｅと重合する当接部３ａを簡便に形成することができるので、一方の脚杆４も他方の脚杆５と同様のストレート杆を用いて製作することができ、製造コストを抑えられる。さらに、他方の脚杆５の対向部５ｅに対して、一方の脚杆４の対向部４ｅが嵌合するように左右方向に圧縮変形させることで、溶着箇所である当接部３ａが前後方向に分散され溶着し易く、かつ互いの脚杆４，５同士の連結強度が高められる。
【００２１】
脚体３および閉塞板７との連結について図３に基づき説明する。連結杆６の左右側端部６ａ，６ａの近傍の前面に設けられた閉塞板７は、上部に水平面を有する水平板７ｂおよび、この水平板７ｂの左右に立設した側面視扇状の外側板７ａ，７ａとで構成され、下向きに開口するコ字状の開口部を有している。左方の外側板７ａの略中央位置には、左右方向に貫通する係合孔７ｃが形成され、左方の外側板７ａの上方後端部には段部７ｄが凹設されている。
【００２２】
脚体３の上端部５ａには、上下所定間隔離間されてネジ孔５ｄ，５ｄが穿設されるとともに、閉塞板７の両外側板７ａ，７ａ間の前面を覆うように、ナイロン等の弱剛性の軟質材によりなる円弧形カバー部８がカバー取付ボルト９，９により、円弧形カバー部８のボルト貫通孔８ｂ、８ｂを介してネジ孔５ｄ，５ｄと螺合して脚体３の上端部５ａに固着されている。
【００２３】
尚、脚体３の上端部４ａ，５ａの外周面と閉塞板７の内面とは熱溶着等で連結固着され、閉塞板７は連結杆６に熱溶着等で連結固着されている。また、脚杆４，５の各下端部４ｂ，５ｂには、前述のキャスタ５０を取り付けるためのキャスタ取付キャップ５０ａが各々取り付けられ、幕板４０は、ボルト等で幕板取付片５ｃ，５ｃに取り付けられる。
【００２４】
次いで、図３および図４に基づいて、ブラケット１０と連結杆６との嵌合について説明する。図４（ａ）および図４（ｂ）に示されるように、ブラケット１０の側壁１１の内面の略中間位置には、円弧形部１６が内方に向けて延設され、この上部が水平部１７と連接して側面視略Ｊ字状部１５が形成されている。このブラケット１０の円弧形部１６の形状は、前述した閉塞板７の円弧形部である円弧形カバー部材８の前面８ａと摺接もしくは近接可能な形状となっている。
【００２５】
図３および図４（ａ）に示されるように、ブラケット１０と連結杆６との嵌合は、ブラケット１０の内向き窪み部１２に対して連結杆６の側端部６ａに挿嵌することで、ブラケット１０が連結杆６に枢着される。嵌合後はブラケット１０の水平位置で、閉塞板７の水平板７ｂおよび円弧形カバー部材８が、ブラケット１０の略Ｊ字上部１５の水平部１７および円弧形部１６により覆われる。そして、内向き窪み部１２の最奥部に形成された内壁に、側端部６ａの側端面が当接する位置まで嵌合されることで、ブラケット１０の位置決めが行われる。
【００２６】
ブラケット１０を天板２の下面２ａに螺着する際は、図４（ｂ）に示されるように、閉塞板７の水平板７ｂの上面に側面視略Ｊ字状部１５の一部である水平部１７の下面を当接させ、さらに天板２の下面２ａをブラケット１０の上板１４に支持させた状態で、図４（ａ）に示すように天板取付ネジ１９を天板取付貫通孔１４ｄを介して天板２とブラケット１０を螺合する。尚、上板１４の上面は水平部１７も含めて水平面となっているので、天板２の下面２ａをブラケット１０全面で支持できる。
【００２７】
図４（ａ）に示されるように、上板１４には前後中間位置から前方向に向けて上方に開口する溝部１４ｃが凹設され、レバー部材２５の前後方向に延設された棒状部２５ｂが収納されている。棒状部２５ｂの一端側からは、レバー部材２５の把手部２５ａが外方に向けて延在されている。溝部１４ｃの後端には上下に貫通する挿通孔１４ｂが形成され、棒状部２５ｂの他端側からは下方に延在される延設部２５ｃが挿通されている。溝部１４ｃの天板２側の開口は、ブラケット１０を天板２に取着する取着時に天板下面２ａのより閉鎖される。これにより棒状部２５ｂが天板下面２ａと溝部１４ｃとで回動可能に安定して保持され、棒状部２５ｂの取り外れが確実に防止されている。尚、本実施例では、棒状部２５ｂの上方にレバー保持片２６，２６が前後２箇所に嵌入されており、把手部２５ａの操作時に棒状部２５ｂの長さ軸周りの回動をより円滑に行えるように保持されている。
【００２８】
次に、図５に示されるように、ブラケット１０の側壁１１の内側には、閉塞板７の係止孔７ｃと係脱可能な係合突部３２がバネ部材３３により付勢されており、レバー部材２５の把手部２５ａの天板下面２ａ側への操作によって、棒状部２５ｂの後端から下方に向けて延設された延設部２５ｃを介して、係合突部３２がバネ部材３３に抗して外側に移動され、係合孔７ｃとの係合が解除、天板２を水平な位置［図１（ａ）参照］から略垂直な折り畳み位置［図１（ｂ）参照］に連結杆６を軸心として上方に向けて回動できるようになっている。
【００２９】
この天板回動時においては、係合突部３２の内向き側の先端が外側板７ａの外側面に沿って上方に斜め後方に向けて摺接されるとともに、ブラケット１０の円弧形部１６が閉塞板７に設けられた円弧形カバー部材８に沿って摺接もしくは近接状態で回動され、円弧形カバー部材８が露出される。天板２が折り畳み位置［図１（ｂ）参照］に移動されると、係合突部３２が再びバネ部材３３の付勢力を得て、外側板７ａの上方後端部の段部７ｄ（図３参照）に係合される。そして、ブラケット１０の傾斜位置が固定され、天板２の略垂直な折り畳み位置が確実に固定される。尚、天板２を略垂直な折り畳み位置から水平位置に戻すには、逆の作業工程により行えるため説明を省略する。
【００３０】
図６に示されるように、天板２が折り畳まれたテーブル１はキャスタ５０の回動により床面３０に沿って、テーブル１を前方から後方に向けて移動し、複数のテーブル１を前後方向に重ねて収納（ネスティング）可能になっており、複数のテーブル１，１が重ねられると、前後に隣接する後方テーブル１の閉塞板７の円弧形カバー部材８が隣接するテーブル１の天板２と当接することで移動が規制される。
【００３１】
このネスティングの際には、各テーブル１の前方に拡開する一方の脚杆４の下方が、左右方向外側に傾斜しているので、新たにネスティングされるテーブル１の他方の脚杆５を円滑に受け入れできる。また、天板２が当接される円弧形カバー部材８が弱剛性の軟質材で構成されているので、天板２の当接面を傷めることがない。
【００３２】
以上の説明により実施例のテーブル１では、脚体３を構成する両脚杆４，５の重合した部分である上端部４ａ，５ａは、一方の上端部４ａがつぶれるが２本の脚杆４，５で支持されることになり、下方の前後方向に拡開した部分４ｂ、５ｂは前後に１本ずつとなるが、両部分は変形していないので、一対の脚杆４，５の上下両部において、ほぼ均一な強度バランスを取ることができる。
【００３３】
また、左右方向に一方の脚杆４の上端部４ａが圧縮変形され対向部４ｅを形成したことで、両脚杆４，５の左右方向の寸法が抑えられ、テーブル１の使用者の膝が入り込む左右幅の空間を広く確保できる［図１（ａ）参照］。しかも、左右一対の脚体３，３の各両脚杆４，５の上端部４ａ，５ａは後方に傾斜し、前方に拡開する一方の脚杆４は左右方向外方に傾斜されているので、テーブル１の使用者の着座時に、天板２の下方に位置する膝の周辺および、その上部空間にゆとりが生じ、快適な座り心地を与えることができ、着座により広い空間を確保できる。
【００３４】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、脚体３の外方に位置する一方の脚杆４の上端部４ａを圧縮変形させて対向部４ｅを形成することで、両脚杆４，５の左右方向の寸法が抑えられ、脚体３，３の左右幅の空間を広く確保できることから好ましいが、本発明はこれに限定されるものではなく、他方の上端部５ａを圧縮変形させた対向部を形成してもよく、重合する脚体４，５の何れか一方を圧縮変形すればよい。
【００３５】
また、上記実施例では、両脚杆４，５の上端部４ａ，５ａの重合する箇所を一定の角度で後方に傾斜したことで、着座時に使用者の膝の周辺及び、その上部空間により広い空間が形成されることから好ましいが、本発明はこれに限定されるものではなく、少なくとも重合する脚体４，５の何れか一方を圧縮変形して脚体３，３の左右幅の空間を広く確保すればよい。
【００３６】
さらに、上記実施例では、脚杆４の上端部４ａと脚杆５の５ａとの重合を共に後方に傾斜させているが、重合する箇所を後方に傾斜させることなく略垂直に延在させても良い。
【図面の簡単な説明】
【００３７】
【図１】（ａ）は、本発明の実施例における折り畳みテーブルの全体像を示す天板使用位置の斜視図であり、（ｂ）は、折り畳みテーブルの天板の折り畳み位置を示す斜視図である。
【図２】（ａ）は、脚体を構成する２つの脚杆の分解組立斜視図であり、（ｂ）は、脚体の組み付け斜視図であり、（ｃ）は、図２（ｂ）のＡ−Ａ線に沿う断面図である。
【図３】脚体、連結杆、閉塞板および幕板を示す分解組立斜視図および、その閉塞板と脚体の連結を示す要部拡大斜視図である。
【図４】（ａ）は、ブラケットと連結杆との取付後の状態を示す斜視図であり、（ｂ）は、天板取り付け後のブラケットと閉塞板の取付関係を示す斜視図である。
【図５】天板の使用可能な水平位置から略垂直な折り畳み位置へと回動されたテーブルを示す側面図である。
【図６】折り畳みテーブルを前後方向に重ねて収納する過程を示す概略側面図である。
【符号の説明】
【００３８】
１                テーブル（折り畳みテーブル）
２                天板
２ａ              下面
３                脚体
３ａ              当接部
４                一方の脚杆（前方に拡開する外側の脚杆）
４ａ              上端部
４ｂ              下端部
４ｃ              折曲部
４ｅ              圧縮変形された対向部
５                他方の脚杆（後方に拡開する内側の脚杆）
５ａ              上端部
５ｂ              下端部
５ｃ              幕板取付片
５ｄ              ネジ孔
５ｅ              対向部
６                連結杆
６ａ              側端部
７                閉塞板
７ａ              外側板
７ｂ              水平板
７ｃ              係合孔（天板の水平な使用位置の係合箇所）
７ｄ              段部（略垂直な折り畳み位置の係合箇所）
８                円弧形カバー部材
８ａ              前面
８ｂ              ボルト貫通孔
９                カバー取付ボルト
１０              ブラケット
１１              側壁
１１ａ            内側面
１２              内向き窪み部
１４              上板
１４ｂ            挿通孔
１４ｃ            溝部
１４ｄ            天板取付貫通孔
１５              側面視略Ｊ字状部
１６              ブラケットの円弧形部
１７              水平部
１９              天板取付ネジ
２３              荷物掛け部
２５              レバー部材
２５ａ            把手部（棒状部の一端側）
２５ｂ            棒状部
２５ｃ            延設部（棒状部の他端側）
２６              レバー保持片
３０              床面
３２              係合突部
３３              バネ部材
４０              幕板
５０              キャスタ
５０ａ            キャスタ取付キャップ
【図１】
2007306988.tif 000003
【図２】
2007306988.tif 000004
【図３】
2007306988.tif 000005
【図４】
2007306988.tif 000006
【図５】
2007306988.tif 000007
【図６】
2007306988.tif 000008